(57)【特許請求の範囲】
【請求項１】
液状モルタルの注入によりバラスト道床がコンクリート道床化される際に用いられるまくらぎ弾性軌道装置であって、当該まくらぎ弾性軌道装置における防振箱は、底板と両側板と両端板とを有し上方が開口されており、かつ
前記防振箱の上面の周囲には、モルタル注入時における前記バラスト道床の上面に設置の蓋型枠固定用広幅面を設けることで型枠機能付き構成とされており、
前記防振箱内に防振パッドを介してまくらぎが収納されている
ことを特徴とするまくらぎ弾性軌道装置。
【請求項２】
前記防振箱は一体成形され、または、それぞれ前記底板と前記両側板と前記端板とを有し、対向開口部と上方開口部が形成された第１防振箱部材と第２防振箱部材からなり、前記対向開口部側を水密的に接合し組み立てることによって構成されることを特徴とする請求項１記載のまくらぎ弾性軌道装置。
【発明の詳細な説明】
【０００１】
【発明の属する技術分野】
本発明は、液状モルタルを使用してバラスト道床をコンクリート道床化する際に、その施工を容易にするまくらぎ弾性軌道装置に関するもので、平坦部に限らず、曲線部で軌道にカントが付く場合、並びに列車走行方向に縦勾配がある場合にも、液状モルタルが所定位置まで円滑に充填（注入）されるようにしたものである。
【０００２】
【従来の技術】
軌道用道床にはコンクリート道床とバラスト道床があるが、コンクリート道床については、経年による亀裂発生や細片劣化を補修するためコンクリートの打替えが必要である。また、バラスト道床を保持，管理の面で有利なコンクリート道床化することが行なわれている。
【０００３】
コンクリート道床化の施工方法としては、旧コンクリート道床部のコンクリートを撤去後、図９に示すように、下床を構成するコンクリートスラブ１の上面の水洗い清掃を行い、その上面に新バラスト（以下バラスト道床という）２で軌框を受け替え、つき固めを十分行い、軌框整正を行った後、液状モルタルを打設してコンクリート化道床３を完成する方法がある。レール４を支持するコンクリートまくらぎ５は、このコンクリート化道床３に支持される。
【０００４】
前記のバラスト道床をコンクリート道床化する施工方法であると、まくらぎを仮受けすること無く、列車徐行運転せずに施工でき、列車の徐行，仮受け状態の常時確認することが不要となる。
【０００５】
【発明が解決しようとする課題】
コンクリートまくらぎ５は、レール４上を走行する電車の荷重を受けて激しく振動するので、その振動を吸収するよう弾性的に支持されることが必要である。しかるに、バラスト道床でコンクリートまくらぎ５が支持されているときは、バラスト道床自体がもつ弾性により、当該コンクリートまくらぎ１に加わる振動が吸収されるが、バラスト道床がコンクリート道床化されたとき、コンクリートまくらぎ５の振動吸収機能が失われる。このため、バラスト道床がコンクリート道床化されても、コンクリートまくらぎ５は弾性的に支持されていて、振動吸収機能が損なわれることがないよう、バラスト道床のコンクリート道床化に際しては、施工上特別な対処手段が必要となるが、未だこの問題を解決する有効な方法は提案されていない。
本発明は、前記の問題を解決したまくらぎ弾性軌道装置を提供することを目的とする。
【０００６】
【課題を解決するための手段】
前記の課題を解決するため本発明は、次のように構成することを特徴とする。
第１のまくらぎ弾性軌道装置の発明は、液状モルタルの注入によりバラスト道床がコンクリート道床化される際に用いられるまくらぎ弾性軌道装置であって、当該まくらぎ弾性軌道装置における防振箱は、底板と両側板と両端板とを有し上方が開口されており、かつ前記防振箱の上面の周囲には、モルタル注入時における前記バラスト道床の上面に設置の蓋型枠固定用広幅面を設けることで型枠機能付き構成とされており、前記防振箱内に防振パッドを介してまくらぎが収納されていることを特徴とする。
第２の発明は、第１の発明における前記防振箱は一体成形され、または、それぞれ前記底板と前記両側板と前記端板とを有し、対向開口部と上方開口部が形成された第１防振箱部材と第２防振箱部材からなり、前記対向開口部側を水密的に接合し組み立てることによって構成されることを特徴とする。」
【０００７】
本発明によると、バラスト道床がコンクリート道床化されたとき、まくらぎは防振パッドを介して防振箱に弾性支持されることにより、レールから加わる振動を円滑に吸収して支持できる。しかも、コンクリート道床化の施工に際して、液状モルタルが型枠機能付き防振箱内に浸入するのが防止され、かつ、まくらぎが平坦軌道に設置されている場合と、カント付き軌道に設置されている場合と、列車走行方向に縦勾配軌道に設置されている場合のいずれにも、第１〜２発明の手段を実施することで、円滑に施工作業が進められる。
【０００８】
【発明の実施の形態】
本発明の実施形態を図を参照して説明する。
図１〜図５は第１実施形態を示す図、図６は第２実施形態を示す図、図７、図８は第３実施形態を示す図である。
【０００９】
図１〜図５によって第１実施形態を説明する。図１はコンクリート道床化されたバラスト道床（以下コンクリート化道床という）に本発明の第１実施形態に係るまくらぎ弾性軌道装置を実施した例を示し、コンクリートまくらぎ５は、本実施形態の主要素をなす型枠機能付き防振箱６を介して、コンクリート化道床３に弾性的に支持されている。
【００１０】
図３、図４を参照してさらに説明すると、防振箱６は第１防振箱部材６ａと第２防振箱部材６ｂからなり、この第１防振箱部材６ａと第２防振箱部材６ｂのそれぞれの接合側の両側部と底部を密に接合し、組み立てて構成される。
【００１１】
つまり、第１防振箱部材６ａと第２防振箱部材６ｂはいずれも、対向側が開口部７とされていると共に、上方も開口部８とされており、かつ両側板１０と底板１１と端板１２を有しており、さらに、両側板１０と端板１２の上端には、外方に向け水平に突出した蓋型枠固定フランジ１３（その幅寸法大小任意でよい）を有した構成とされている。
【００１２】
第１防振箱部材６ａと第２防振箱部材６ｂとは互いに密に接合するため、図示例では、第１防振箱部材６ａの対向開口部７から所定の範囲（Ｌ）に亘って、両側板１０と底板１１をその板厚分だけ内側に凹ませることにより、嵌合接合部１４を形成する。この嵌合接合部１４の外側から第２防振箱部材６ｂの対向開口部側先端１５を嵌合することにより、第１と第２の防振箱部材６ａ，６ｂの両側板１０と底板１１は密に嵌り合うので、この接合部から水に近い流動性の液状モルタルが箱内に浸入することがない。なお、第１防振箱部材６ａの嵌合接合部１４に位置する両側板１０上部のフランジ部分を切除してある。これにより、第１と第２防振箱部材６ａ，６ｂの両側部の蓋型枠固定フランジ１３同士は、突き合わせ端部１６で円滑に突き合わされ、第１，第２防振箱部材６ａ，６ｂの嵌合接合部１４での両側板１０と、底板１１の円滑な重なり合いが妨げられない。
【００１３】
第１と第２の防振箱部材６ａ，６ｂを、その嵌合接合部１４を介して水密的に連結して構成された本実施形態に係る型枠機能付き防振箱６内には、コンクリートまくらぎ５を収納し、その両端部の底面と、両側面と、端面を弾性的に支持するゴム製の防振パッド１７が介装され、この防振パッド１７を介してコンクリートまくらぎ５は防振箱６内において、上下，前後，左右に弾性的に振動可能に支持される。
【００１４】
第１実施形態におけるバラスト道床のコンクリート道床化施工について、図１〜図４によって説明する。
まず、バラスト道床２に液状モルタルを注入するに先立ち、コンクリートまくらぎ５を敷設したまま、その周辺のバラストを取り除き、そこにできた空間を利用して、左右に分割されており、かつ上方と対向側が開放された第１と第２の防振箱部材６ａ，６ｂをコンクリートまくらぎ５を内側に抱持するように配置させ、かつ第１と第２の両防振箱部材６ａ，６ｂをその嵌合接合部１４を介して水密的に接合し組み立てて構成する。
【００１５】
次に、図２に示す蓋型枠１８と１８ａの一端部を、それぞれ防振箱６の蓋型枠支持フランジ１３に支持させて固着し、かつコンクリートまくらぎ５の側面と端面に密に当てがうと共に、蓋型枠１８，１８ａの他端部をコンクリート化される前の、バラスト道床２の中に埋設した垂直仕切り型枠１９で支持させ、釘等で固着する。このようにして、バラスト道床２の上面（道床面）全体を覆い、かつ防振箱６の上部のコンクリートまくらぎ５との隙間を密閉できるので、この状態で、垂直仕切り型枠１９の内側におけるバラスト道床に液状モルタルを注入することにより、このバラスト道床２をコンクリート道床化することができる。
【００１６】
このとき、防振箱６内はコンクリートまくらぎ５が上方に突出した状態で蓋型枠１８，１８ａで密封されているので、液状コンクリートは防振箱６内に浸入せしない。したがって、バラスト道床がコンクリート道床化されたときは、コンクリートまくらぎ５の両端部は防振箱６内の防振パッド１７を介して弾性的に支持されるので、バラスト道床のコンクリート道床化に伴い、コンクリートまくらぎ５が非弾性的に支承されるという不具合を円滑に回避できる。
【００１７】
液状コンクリートが硬化した後は、蓋型枠１８，１８ａや垂直仕切り型枠１９はコンクリート化道床３から取り除く。なお、蓋型枠１８，１８ａの図に示す分割形状は一例であって、これ以外の分割形状であってもよい。また、蓋型枠１８，１８ａは前述のとおり、釘等を用いて垂直仕切り型枠１９等に仮固定しておくものである。
【００１８】
図５は、防振箱６の他の構成例を示す。この防振箱６は、第１と第２の防振箱部材に分割されておらず、両側板１０と底板１１と両端板１２が一体に成形されていて、この両側板１０と端板１２の上端には、外方に向け水平に突出した蓋型枠固定フランジ１３が設けられている。その他の構成は、図１〜図４に示す防振箱６と同じである。
【００１９】
図５の防振箱６内にコンクリートまくらぎ５を収納するときは、一時的にコンクリートまくらぎ５をバラスト道床２から浮くよう少し吊り上げておき、周辺のバラストを取り除いた上、防振箱６をコンクリートまくらぎ５の側方からその下側に回り込ませて、箱内側にコンクリートまくらぎ５を収納するとよい。
【００２０】
次に、第２実施形態を図６を参照して説明する。同図はカント付き軌道に液状モルタルを使用する場合の施工例を示す。前述のとおり、液状モルタルは殆ど水に近い液状を有しているので、傾斜道床面２０と防振箱６と、これに弾性支持されるコンクリートまくらぎ５が内側に所定の角度傾斜している場所では、図６に示すように垂直仕切り型枠１９によって液状モルタルを注入する範囲を区画しても、一度で打設注入したのでは、その高い液状により流失し、傾斜道床面２０まで均一かつ円滑に注入するのが難しい。
【００２１】
このため、第２実施形態では、第１実施形態で使用したのと同じ蓋型枠１８，１８ａを使用する。つまり、この第２実施形態では、蓋型枠１８，１８ａによって傾斜道床面２０の全表面を水密的に覆うので、液状の高い液状モルタルをバラスト道床２に一度に打設（注入）しても傾斜面で流失せず、傾斜道床面２０の全表面に均一にモルタルを行きわたらせることができ、カントが付いたバラスト道床の円滑かつ迅速なコンクリート道床化が可能である。
【００２２】
第２実施形態では、防振箱６が蓋型枠固定用フランジ１３を有することを含めて他の構成，作用は第１実施形態と同じである。
【００２３】
次に、図７、図８は第３実施形態を示し、列車進行方向に下り又は上りの勾配がある坂におけるバラスト道床をコンクリート道床化する場合の施工断面を示す図である。
【００２４】
第３実施形態は、図６に示す第２実施形態と同じ施工方法を実施する例を示し、垂直仕切り型枠１９でコンクリート道床化する区域を区画し、かつ走行方向に傾斜する坂道床面２３を覆う蓋型枠１８，１８ａを使用し、各型枠１８，１８ａ，１９で囲まれた内側のバラスト道床２に、第２実施形態と同様に、液状モルタル注入（打設）を一度で行う例を示す。第５実施形態における防振箱６の構成と施工手順および作用は、第２実施形態と同じである。
【００２５】
なお、第１〜第３実施形態の他にも、施工現場の状況に応じて、防振箱６や各型枠１８，１８ａ，１９の構成の設計変更や、施工手順の変更を行うことは構わない。
【００２６】
【発明の効果】
本発明によると、簡潔な構成のまくらぎ弾性軌道装置とその設置方法を適用することで、軌道のバラスト道床を液状モルタルを注入（打設）してコンクリート道床化したとき、コンクリートまくらぎの支持態様が非弾性支持となるのを回避でき、しかも、バラスト道床のコンクリート道床化の施工作業の際に、防振箱に液状モルタルが浸入するの確実に阻止でき、作業効率を向上できる。
【図面の簡単な説明】
【図１】第１実施形態に係るまくらぎ弾性軌道装置の説明図である。
【図２】（ａ）は図１の平面図、（ｂ）は図（ａ）の蓋型枠の平面図、（ｃ）は図（ｂ）のイ−イ断面図である。
【図３】（ａ），（ｂ），（ｃ）は型枠機能付き防振箱の第１例（２分割形）の平面図と正面図と側面図である。
【図４】（ａ）〜（ｃ）は防振箱の第１と第２の防振箱部材の平面図と側面図である。
【図５】（ａ），（ｂ），（ｃ）は型枠機能付き防振箱の第２例（一体形）の平面図と正面図と側面図である。
【図６】第２実施形態に係るまくらぎ弾性軌道装置の説明図である。
【図７】第３実施形態に係るまくらぎ弾性軌道装置の説明図である。
【図８】図３に示すまくらぎ弾性軌道装置の平面図である。
【図９】従来のバラスト道床におけるまくらぎ弾性軌道装置の説明図である。
【符号の説明】
１  コンクリートスラブ
２  バラスト道床（新バラスト）
３  コンクリート化道床
４  レール
５  コンクリートまくらぎ
６  防振箱
６ａ  第１防振箱部材
６ｂ  第２防振箱部材
７  対向開口部
８  上方開口部
１０  両側板
１１  底板
１２  端板
１３  蓋型枠固定フランジ
１４  嵌合接合部
１５  対向開口部側先端
１６  突き合わせ端部
１７  防振パッド
１８，１８ａ  蓋型枠
１９  垂直仕切り型枠
２０  傾斜道床面
２３  傾斜坂道床面
【図１】
0003552030.tif 000002
【図２】
0003552030.tif 000003
【図３】
0003552030.tif 000004
【図４】
0003552030.tif 000005
【図５】
0003552030.tif 000006
【図６】
0003552030.tif 000007
【図７】
0003552030.tif 000008
【図８】
0003552030.tif 000009
【図９】
0003552030.tif 000010